(57)【特許請求の範囲】
【請求項１】
キャリッジの先端部に設けられるとともに被加工レンズを保持するレンズ保持軸と、
前記キャリッジ内に設けられるとともに前記レンズ保持軸を回転させる駆動モータと、
前記レンズ保持軸の軸線と略平行な軸線を中心に回転可能に設けられた砥石とを備え、前記キャリッジをその後端部を中心にして回動させることによりレンズ保持軸を上下動させてこのレンジ保持軸に保持された被加工レンズを砥石に接触させて被加工レンズを研削するレンズ研削装置において、
前記レンズ保持軸の回転中心と砥石の回転中心とを結ぶ方向に進退する進退手段を設け、
この進退手段は、前記砥石の回転中心線上に軸を有するとともにこの軸を中心にして回動自在なベース盤と、このベース盤に取り付けられて上方に平行に延びたガイドレールおよびスクリュー軸と、このスクリュー軸の回動によってガイドレールに沿って上下動する受台とを備え、
前記レンズ保持軸の一端部を前記キャリッジの側方から突出させるとともに、回動自在に且つ上下動自在に前記ガイドレールとスクリュー軸とに挟み込ませ、
前記受台の上面にそのレンズ保持軸の一端部を回動自在に載置させ、
この受台を上下動させることによって前記キャリッジを回動させることを特徴とするレンズ研削装置。
【発明の詳細な説明】
【０００１】
【発明の属する技術分野】
この発明は、被加工レンズを回転駆動される研削砥石で眼鏡（メガネ）の玉形（玉型）形状に研削加工するレンズ研削装置に関する。
【０００２】
【従来の技術】
従来のレンズ研削装置は、図５および図６に示すように、被加工レンズＬを保持するレンズ保持軸１,１と、軸線がレンズ保持軸１,１の軸線と平行な研削砥石２と、先端部にレンズ保持軸１,１を設けたキャリッジ３と、レンズ保持軸１の一端部を支持した型受台４を上端に設けた支柱５と、この支柱５を上下方向に進退させるモータ(図示せず)とを備えている。
【０００３】
この研削装置によれば、支柱５がモータにより上下動すると、型受台４がレンズ保持軸１を上下動させる。この上下動により、レンズ保持軸１,１に保持に保持された被加工レンズＬの周縁を研削砥石２に接触させて、被加工レンズＬを眼鏡レンズの形状（玉形形状）に研削する。
【０００４】
【発明が解決しようとする課題】
しかしながら、このようなレンズ研削装置では、型受台４の上下動によりキャリッジ３が軸７を中心にして回動して、レンズ保持軸１,１に保持された被加工レンズＬが研削砥石２に接触するものであるから、被加工レンズＬの大きさによって研削砥石２に接触する位置が異なる。すなわち、レンズ保持軸１と研削砥石２の軸とを結ぶ直線と支柱５とのなす角度が被加工レンズＬの大きさによって変化する。このため、その角度ずれを補正しながら型受台４の上下動を決めていかなければならず、その計算が複雑であり、その計算にも誤差が発生し易い等の問題があった。
【０００５】
この発明は上記問題点に鑑みてなされたものであり、その目的は、角度ずれの補正を必要としないレンズ研削装置を提供することにある。
【０００６】
【課題を解決するための手段】
上記目的を達成するため、請求項１の発明は、キャリッジの先端部に設けられるとともに被加工レンズを保持するレンズ保持軸と、
前記キャリッジ内に設けられるとともに前記レンズ保持軸を回転させる駆動モータと、
前記レンズ保持軸の軸線と略平行な軸線を中心に回転可能に設けられた砥石とを備え、前記キャリッジをその後端部を中心にして回動させることによりレンズ保持軸を上下動させてこのレンジ保持軸に保持された被加工レンズを砥石に接触させて被加工レンズを研削するレンズ研削装置において、
前記レンズ保持軸の回転中心と砥石の回転中心とを結ぶ方向に進退する進退手段を設け、
この進退手段は、前記砥石の回転中心線上に軸を有するとともにこの軸を中心にして回動自在なベース盤と、このベース盤に取り付けられて上方に平行に延びたガイドレールおよびスクリュー軸と、このスクリュー軸の回動によってガイドレールに沿って上下動する受台とを備え、
前記レンズ保持軸の一端部を前記キャリッジの側方から突出させるとともに、回動自在に且つ上下動自在に前記ガイドレールとスクリュー軸とに挟み込ませ、
前記受台の上面にそのレンズ保持軸の一端部を回動自在に載置させ、
この受台を上下動させることによって前記キャリッジを回動させることを特徴とする。
【０００７】
【発明の実施の形態】
以下、この発明に係るレンズ研削装置の実施の形態を図面に基づいて説明する。
【０００８】
図１において、レンズ加工装置（レンズ研削装置）すなわち玉摺機は筐体１０を有し、筐体１０には砥石室１０Ａが設けられている。この砥石室１０Ａの中には、図示しないモ−タで高速回転される研削砥石１１が収納されている。この研削砥石１１は荒砥石（粗砥石）１２とヤゲン砥石１３とから構成されている。
【０００９】
筐体１０の後には軸受１４が設けられ、この軸受１４にはキャリッジ旋回軸２１が回動自在且つ軸方向に移動可能に嵌挿されている。このキャリッジ旋回軸２１にはキャリッジ２０の後端部が固着されている。これによりキャリッジ２０はキャリッジ旋回軸２１の軸回りに旋回可能でかつ軸方向に摺動可能となっている。
【００１０】
このキャリッジ２０の自由端部には同軸上に配設したレンズ保持軸２２ａ，２２ｂが保持され、このレンズ保持軸２２ａ，２２ｂには被加工レンズＬが挟着保持される様になっている。このレンズ保持軸２２ａ，２２ｂの軸線と研削砥石１１の軸線は平行に設けられている。
【００１１】
また、レンズ保持軸２２ａ，２２ｂは、キャリッジ２０内に配置された駆動モータ２５により、公知の回転伝達機構Ｑを介して回転される。レンズ保持軸２２ｂの他端２２ｃはキャリッジ２０の側方から突出している。
【００１２】
筐体１０の側方には、キャリッジ横移動手段Ｂが配設されている。このキャリッジ横移動手段ＢはＬ形ア−ム部材３０を備え、このア−ム部材３０は筐体１０の側壁から張り出された軸状のレ−ル部材１５に摺動可能に支持されている。また、ア−ム部材３０の一端部３４は、キャリッジの旋回軸２１に軸線周りに回動可能に且つ横移動不能に取付けられている。
【００１３】
キャリッジ横移動手段Ｂは、図示しない固定フレーム側に固定された横移動用（Ｙ方向移動用）の駆動モ−タ（Ｙ方向駆動手段）３２と、駆動モータ３２の出力軸に取り付けられた送りネジ３３を有する。この送りネジ３３は、キャリッジ旋回軸２１と平行に設けられていると共に、アーム部材３０に螺着されている。そして、このモ−タ３２の回転により送りネジ３３を正回転（正転）又は逆回転（逆転）させると、ア−ム部材３０はキャリッジ旋回軸２１に沿って左右方向に移動し、このア−ム部材３０の移動によりキャリッジ２０も同量同方向に移動される様になっている。
【００１４】
また、筐体１０の側方には、軸間距離調整手段（進退手段）Ｃが設けられている。この軸間距離調整手段Ｃは、図２に示すように、筺体１０に設けた軸５０に回動自在に取り付けたベース盤５１と、ベース盤５１に取り付けられてその上面から上方に延び且つその上面に対して直交したガイドレール５３と、ガイドレール５３と平行に且つ回動可能にベース盤５１に設けられたスクリュー軸５４と、ベース盤５１の下面に取り付けられそのスクリュー軸５４を回動させるパルスモータ（駆動モータ）５５と、スクリュー軸５４の回動によりガイドレール５３に沿って上下動する受台５６とを備えている。
【００１５】
ベース盤５１の軸５０は研削砥石１１の軸線と同一直線上に設けられており、ガイドレール５３とスクリュー軸５４とがその軸５０を挟み込む位置から上方へ延びている。また、レンズ保持軸２２ｂの一端２２ｃがガイドレール５３とスクリュー軸５４との間に挟み込まれているとともにガイドレール５３に沿って移動可能となっている。そして、受台５６は軸５０の中心（研削砥石１１の回転中心）とレンズ保持軸２２ｂの一端２２ｃの中心（レンズ保持軸２２ｂの回転中心）とを結ぶ直線Ｍ上に沿って上下動することになる。
【００１６】
受台５６にはレンズ保持軸２２ｂの一端２２ｃを受けており、受台５６がガイドレール５３に沿って上下動（進退）することによりキャリッジ２０がキャリッジ旋回軸２１を中心にして回動する。また、ガイドレール５３の上端部には補強部材５７が固定され、この補強部材５７はスクリュー軸５４の上端部を回動自在に保持している。
【００１７】
駆動モータ３２およびパルスモータ５５は図示しない制御装置によって制御されるものであり、この制御装置は筺体１０内に設けられている。
【００１８】
ところで、ベース盤５１は研削砥石１１の軸線と同一直線上に設けられた軸５０を中心にして回動するものであるから、被検レンズＬの大きさに拘わりなく受台５６は図２に示すように軸５０の中心とレンズ保持軸２２ｂの一端２２ｃの回転中心とを結ぶ直線Ｍに沿って上下動する。
【００１９】
他方、被加工レンズＬの大きさによって被加工レンズＬと研削砥石１１の接触する位置が異なるが、図３に示すように、その接触位置とレンズ保持軸２２ｂの回転中心とを結ぶ直線Ｐと直線Ｍとのなす角度θは小さく、このため、直線Ｐ上の被加工レンズＬの径と直線Ｍ上の被加工レンズの径とはほぼ同一とみなすことができ。
【００２０】
このため、直線Ｍ上の被加工レンズの径に基づいて受台５６を上下動させるだけでよいものとなり、従来のように角度補正をしなくとも正確なレンズ研削加工を実現することができる。
【００２１】
図４は他の例の軸間調整手段を示したものである。図４において、６０は一対のガイドレール５３,５３に沿って上下動自在に取り付けられたガイド部材であり、このガイド部材６０はキャリッジ２０の側端から突出したレンズ保持軸２２ｂの一端２２ｃに枢支されている。そして、ガイド部材６０は、受台５６の上下動によって図４に示すように軸５０の中心とレンズ保持軸２２ｂの一端２２ｃの回転中心とを結ぶ直線Ｍに沿って上下動するようになっている。
【００２２】
図４に示す軸間調整手段のものは、レンズ保持軸２２ｂの一端２２ｃがガイドレール５３とスクリュー軸５４とによって挟持された状態になっていないことにより、ガイド部材６０の上下動をスムーズに行うことができる。
【００２３】
【発明の効果】
以上説明したように、請求項１の発明は、キャリッジの先端部に設けられるとともに被加工レンズを保持するレンズ保持軸と、前記レンズ保持軸の軸線と略平行な軸線を中心に回転可能に設けられた砥石とを備え、前記キャリッジをその後端部を中心にして回動させることによりレンズ保持軸を上下動させてこのレンズ保持軸に保持された被加工レンズを砥石に接触させて被加工レンズを研削するレンズ研削装置において、前記レンズ保持軸の回転中心と砥石の回転中心とを結ぶ方向に進退する進退手段を設け、この進退手段の進退によって前記キャリッジを回動させるものであるから、従来のように角度補正をしなくとも正確なレンズ研削加工を実現することができる。
【図面の簡単な説明】
【図１】この発明のレンズ研削装置の説明図である。
【図２】図１の被加工レンズと研削砥石と軸間距離調整手段を示した説明図である。
【図３】被加工レンズと研削砥石との関係を示した説明図である。
【図４】他の例の軸間距離調整手段を示したものである。
【図５】従来のレンズ研削装置のレンズ保持軸によって保持された被加工レンズを示した説明図である。
【図６】従来のレンズ研削装置の研削砥石と被加工レンズとの位置関係を示した説明図である。
【符号の説明】
２０        キャリッジ
２２ａ      レンズ保持軸
２２ｂ      レンズ保持軸
５６        受台
Ｌ        被加工レンズ
【図１】
0004360722.tif 000002
【図２】
0004360722.tif 000003
【図３】
0004360722.tif 000004
【図４】
0004360722.tif 000005
【図５】
0004360722.tif 000006
【図６】
0004360722.tif 000007